(57)【要約】【課題】初心者でも容易に占いで出た卦を探し出すことができる携帯に便利なカード式の本を提供することを課題とする。【解決手段】属性としてそれぞれ異なる卦が割り振られている複数枚のカードを着脱自在に綴じ込んでなるカード式の本であって、その複数枚のカードの各々には複数枚のカード全体に割り振られている複数種の属性である６４卦若しくは内卦８卦及び外卦８卦のそれぞれに１対１で対応する複数個の孔又はカード辺まで連通する複数個の切れ込みが設けられており、ただし、各カードに割り振られている属性としての卦と一致する属性としての卦に対応する孔又は切れ込みに関しては、カード辺まで連通する切れ込み又はカード辺までは連通しない孔として形成されており、それら複数個の孔又は切れ込みの各カードにおける位置は、複数枚のカードが所定の位置で重ね合わされたときに、対応する属性としての卦毎に同じ位置に重なるような位置であるカード式の本を提供することによって上記課題を解決する。【選択図】  図１
2004255773.tif 000002
【特許請求の範囲】
【請求項１】
それぞれ異なる属性が割り振られている複数枚のカードを着脱自在に綴じ込んでなるカード式の本であって、その複数枚のカードの各々には複数枚のカード全体に割り振られている複数種の属性のそれぞれに１対１で対応する複数個の孔又はカード辺まで連通する複数個の切れ込みが設けられており、ただし、各カードに割り振られている属性と一致する属性に対応する孔又は切れ込みに関しては、カード辺まで連通する切れ込み又はカード辺までは連通しない孔として形成されており、それら複数個の孔又は切れ込みの各カードにおける位置は、複数枚のカードが所定の位置で重ね合わされたときに、対応する属性毎に同じ位置に重なるような位置であるカード式の本。
【請求項２】
複数枚のカード全体に割り振られている複数種の属性が、２つ以上のグループに分けられており、各カードには、それぞれのグループからそれぞれ１つづ選択された複数の属性が１組の属性として割り振られている請求項１記載のカード式の本。
【請求項３】
複数枚のカードの各々には１桁ないしは２桁以上の番号が割り振られており、各カードには、複数枚のカード全体に割り振られている番号の少なくとも１位の数字及び／又は１０位の数字に対応する複数個の孔又はカード辺まで連通する複数個の切れ込みが設けられており、ただし、各カードに割り振られている番号と一致する１位の数字及び／又は１０位の数字に対応する孔又は切れ込みに関しては、カード辺まで連通する切れ込み又はカード辺までは連通しない孔として形成されており、それら複数個の孔又は切れ込みの各カードにおける位置は、複数枚のカードが所定の位置で重ね合わされたときに、対応する少なくとも１位の数字及び／又は１０位の数字毎に同じ位置に重なるような位置である請求項１又は２記載のカード式の本。
【請求項４】
孔及び切れ込みに挿入可能な径を有する１又は２以上のソートニードルを備えている請求項１、２又は３記載のカード式の本。
【請求項５】
カードに割り振られている属性が卦である請求項１、２、３又は４記載のカード式の本。
【発明の詳細な説明】
【０００１】
【発明の属する技術分野】
本発明は、複数枚のカードを着脱自在に綴じ込んでなるカード式の本に関し、特に、易経の６４卦をそれぞれ記載した複数枚のカードを着脱自在に綴じ込んでなる携帯が容易で、易経の習得に便利なカード式の本に関するものである。
【０００２】
【従来の技術】
易経は中国五経の筆頭にあり、日本においては帝王学とまで言われたものであるが、易経の本を購入して読み始めても、難しい文章の連続であり、その習得にはかなりの困難が伴うのが常である。このため、通常は、最初に易経の概略だけの解説を学び、次に筮竹の立て方を覚えるか、或いは、八角形のサイコロ２個を用いる場合にはこれを振って、占いをしながら出た卦を探し、回数を重ねて覚えていくのが普通である。
【０００３】
しかしながら、このやり方によっても、占いによって出た卦を易経の本の中から探し出すのは極めて困難であった。何故なら、卦とは、良く知られているように、「陰」と「陽」の２種類の算木の上中下３段の組み合わせによって作られる「乾（天）」、「兌（沢）」、「離（火）」、「震（雷）」、「巽（風）」、「坎（水）」、「艮（山）」、「坤（地）」という８種類の卦の中から、上記のように筮竹やサイコロを用いて１つの卦を選ぶ行為を都合２回行い、一方を「外卦」、他方を「内卦」として得られた外卦と内卦の組み合わせであるから、卦には、外卦８種類と内卦８種類の組み合わせである合計６４種類の卦があることになる。そして、この６４種類の卦のそれぞれには、外卦と内卦の組み合わせによって、例えば、「地天泰」とか「風雷益」等の難しい卦名が振られているので、この卦名を基に、占いで出た卦を易の本の中から探し出すのは初心者には非常な苦労である。このため、従来は、易を習得しようとしても、なかなかに困難で、時間が掛かるという問題点があった。
【０００４】
【発明の解決しようとする課題】
本発明は、上記のような問題点を解決するために為されたもので、初心者でも容易に占いで出た卦を探し出すことができる携帯に便利なカード式の本を提供することを課題とするものである。
【０００５】
【課題を解決するための手段】
本発明は、上記の課題を、属性としてそれぞれ異なる卦が割り振られている複数枚のカードを着脱自在に綴じ込んでなるカード式の本であって、その複数枚のカードの各々には複数枚のカード全体に割り振られている複数種の属性である６４卦若しくは内卦８卦及び外卦８卦のそれぞれに１対１で対応する複数個の孔又はカード辺まで連通する複数個の切れ込みが設けられており、ただし、各カードに割り振られている属性としての卦と一致する属性としての卦に対応する孔又は切れ込みに関しては、カード辺まで連通する切れ込み又はカード辺までは連通しない孔として形成されており、それら複数個の孔又は切れ込みの各カードにおける位置は、複数枚のカードが所定の位置で重ね合わされたときに、対応する属性としての卦毎に同じ位置に重なるような位置であるカード式の本を提供することによって解決するものである。
【０００６】
すなわち、本発明のカード式の本においては、それぞれのカードにおいて、そのカードに割り振られた属性としての卦に対応する孔は、その他のカードとは逆に、カード辺まで連通する切れ込み又はカード辺までは連通しない孔として形成されているので、本発明のカード式の本を構成する複数枚のカードを揃え、所定位置で重ね合わせた状態で、対象とする属性、すなわち探したい卦に対応する孔又はカード辺まで連通する切れ込みに別途用意したソートニードルを差し込んで、ソートニードルを持ち上げると、探したい卦が割り振られたカードだけが、下に落ちるか、或いは上に持ち上げられることになる。
【０００７】
このように、本発明のカード式の本によれば、占って出た卦に対応する孔又は切れ込みにソートニードルを差し込み、持ち上げるだけの簡単な動作で、複雑で難しい卦名に煩わされることなく占って出た卦のカードを容易かつ簡便に選び出し、占うことが可能となる。また、本発明のカード式の本は、複数枚のカードが着脱自在に綴じ込まれた本の形態を有しているので、携帯に便利であり、どこにでも持ち歩き、必要な時に必要な場所で、占いを行い、卦を出すことができるという利点を備えている。
【０００８】
本発明のカード式の本においては、６４卦の各々を１つの属性として各カードに割り振っておいても良いし、内卦８卦と外卦８卦とを、それぞれ異なる種類の属性として、各カードに割り振っておいても良い。すなわち、複数枚のカード全体に割り振る属性を内卦と外卦の２つのグループに分け、各カードに、それぞれ内卦及び外卦のグループからそれぞれ１つずつ選択された２種類の属性を１組の属性として割り振っておけば、複数本のソートニードルを各グループ毎における対象とする属性に対応する孔又は切れ込みに差し込むことにより、複数の属性を同時に満たすカードの検索、すなわち、内卦と外卦という複数項目の相関検索を容易かつ迅速に行うことができるという利点がある。通常のパソコンや書物などを用いて複数項目を同時に満たす対象を検索するには、まず１つの項目に該当するものを検索し、その結果得られた対象の中にもう１つの項目に該当するものがあるかどうかを更に検索する、２段階の、いわゆるルート検索が必要であるところ、本発明のカード式の本によれば、上述のとおり、複数の属性を同時に満たすカードの検索を、ソートニードルを差し込み、カードを持ち上げるという１段階だけの操作によって、即座に行えるので極めて便利である。このとき、各カードに割り振る属性を３つ以上のグループに分け、３つ又はそれ以上の属性を同時に満たすカードを検索するようにしても良いことは勿論である。
【０００９】
更には、例えば、本発明のカード式の本を構成する複数枚のカードの各々に１桁ないしは２桁以上の番号を割り振っておくとともに、各カードに、複数枚のカード全体に割り振られている番号の少なくとも１位の数字及び／又は１０位の数字に対応する複数個の孔又はカード辺まで連通する複数個の切れ込みを設け、ただし、各カードに割り振られている番号と一致する１位の数字及び／又は１０位の数字に対応する孔又は切れ込みに関しては、カード辺まで連通する切れ込み又はカード辺までは連通しない孔として形成しておくことにより、特定の１位及び／又は１０位の数字を持つ番号のカードだけを選択したり、番号順に複数のカードを並べたりすることも容易に行うことが可能である。
【００１０】
本発明のカード式の本は、上記のように易経の卦に適用すると非常に効果的であるが、必ずしも易経の卦だけに限られるものではなく、例えば、氏名や住所、電話番号、趣味、職業、年齢、性別など、様々な情報を属性として各カードに割り振っておくことにより、データベースを兼ねたカード式の本として、また、植物や動物の特徴点を幾つかの項目毎にグループに分け、それぞれを属性として各カードに割り振っておくことにより、植物や動物の図鑑ないしはカタログとして、いつでもどこにでも携帯し、必要な場所で必要な時に必要な情報を引き出したり、観察された植物や動物の１又は複数の特徴点から該当する植物又は動物を探し出したりするのに利用することが可能である。
【００１１】
【発明の実施の形態】
以下、図面をもとに本発明のカード式の本について説明するが、本発明が図示のものに限られる訳ではないことは言うまでもない。
【００１２】
図１において、１は、本発明のカード式の本を構成する１枚のカードを表しており、図示の例においては、「地天泰」という名称の「卦」が属性２として割り振られている。「地天泰」とは、外卦が「坤（地）」、内卦が「乾（天）」であることを意味している。カード１の上部には、それぞれ外卦Ａと内卦Ｂ用の孔又は切れ込みＡ１〜Ａ８、及び、Ｂ１〜Ｂ８が設けられている。図１のカード１においては、割り振られた属性が「地天泰」、すなわち、外卦が「坤（地）」、内卦が「乾（天）」であるので、外卦Ａ用の孔又は切れ込みＡ１〜Ａ８中、割り振られた属性である「坤（地）」に対応するＡ８の孔は、図示のように、カード１の上辺まで連通する切れ込みとして形成されており、それ以外の孔Ａ１〜Ａ７は、通常の孔として形成されている。同様に、内卦Ｂ用の孔又は切れ込みＢ１〜Ｂ８中、割り振られた属性である「乾（天）」に対応する孔Ｂ１は、図示のようにカード１の上辺まで連通する切れ込みとして形成されているが、それ以外の孔Ｂ２〜Ｂ８は、通常の孔として形成されている。図示しないその他のカードについても同様であって、それぞれのカードにもＡ１〜Ａ８、及び、Ｂ１〜Ｂ８の孔が設けられているが、割り振られた外卦及び内卦に対応する孔に関してだけは、カード上辺まで連通する切れ込みとして形成されている。本発明のカード式の本においては、このようなカードが、６４種類の卦に対して１枚ずつ存在し、合計６４枚のカードを着脱自在に綴じ込むことによって、カード式の本が構成されている。
【００１３】
図２は、本発明のカード式の本の一例を示す図であって、カード１がバインダー７に着脱自在に綴じ込まれている。図２においては、カード１は１枚だけしか示されていないけれども、本来は合計６４枚のカードがバインダー７に着脱自在に綴じ込まれて本発明のカード式の本を構成している。
【００１４】
バインダー７には、中央突片８ａ、８ｂが設けられており、一方の中央突片８ａには通し棒９ａ、９ａが、他方の中央突片８ｂには、通し棒９ａ、９ａの先端と、例えばホック式に係合する、受け片９ｂ、９ｂが設けられている。各カードは、各カードに設けられたパンチ孔６、６に、通し棒９ａ、９ａを挿入することによって、バインダー７に着脱自在に綴じられる。通し棒９ａ、９ａの先端を受け片９ｂ、９ｂと係合させることによってバインダー７は閉じられて、複数枚のカードがバインダー７に着脱自在に綴られた状態になり、本発明のカード式の本を構成する。中央突片８ａの内部には微少な空隙１０が設けられており、その空隙１０にソートニードル４、４が収容できるようになっている。このように複数枚のカードをバインダー７に着脱自在に綴じこんでなる本発明のカード式の本は、携帯に便利であり、あたかも文庫本のような手軽さで、どこにでも携行でき、好きな場所で取り出して、占って出た卦を見ることが可能である。なお、図２の例では、複数枚のカードを着脱自在に綴じ込む手段としてバインダー７を示したが、複数枚のカードを着脱自在に綴じ込む手段が図示のようなパンチ孔を利用するバインダーに限られるものでないことは勿論である。例えば、束ねた複数枚のカード全体を押さえ付けるプレス式のバインダーであっても良い。
【００１５】
本発明のカード式の本を用いて占いをする場合を説明すると、例えば、八角形のサイコロ２個を振って、外卦が「地」、内卦が「天」という卦が出たとする。従来の易教の書物では、この「地」という外卦及び「天」という内卦から、書物の頁を順次繰りながら、この外卦及び内径に相当する複雑な漢字の組み合わせからなる卦名の卦を探しださなければならないという苦労があった。ところが、本発明のカード式の本によれば、図３に示すように、６４枚のカードをバインダーから取り外し、所定の位置で重ね合わせて揃え、図４に示すように、２本のソートニードル４、４のうちの１本を外卦の「地」に対応する孔Ａ８に、他方を内卦の「天」に対応する孔Ｂ１に差し込み、差し込んだソートニードル４、４を持つなどしてカード全体を持ち上げれば良い。そうすれば、孔Ａ８及びＢ１がカード上辺まで連通する切れ込みとして形成されている目的のカード１だけが、ソートニードル４、４に係合せず、図４に示すように下方に落ちてくることになる。そして、その落ちてきたカード１を見れば、外卦が「地」、内卦が「天」という卦に相当する卦名は、そのカード１に記載されているとおり「地天泰」であることがわかり、その卦の内容も読めることになる。その他の卦のカードを選び出す操作も同様であり、それぞれ対象とする卦に相当する外卦Ａ及び内卦Ｂの対応する孔にソートニードル４、４を差し込み、カード全体を持ち上げれば良い。
【００１６】
このように、本発明のカード式の本によれば、出た外卦及び内卦をもとに書物の頁を繰って難しい漢字の組み合わせからなる卦名を探す必要がなく、出た外卦及び内卦に相当するカードの孔にソートニードルを差し込んでカード全体を持ち上げるという単純な操作によって、目的とするカードを初心者でも容易に、しかも素早く探し出すことができる。
【００１７】
なお、カード全体を所定の位置に揃えるには、カード１の左上隅に斜めにカットした肩部３を設けておくと、カードの上下や裏表を間違えることなく簡単に所定の向きに揃えることができるので便利である。また、外卦Ａ及び内卦Ｂの孔又は切れ込みＡ１〜Ａ８及びＢ１〜Ｂ８は、各カード内において全て同じ位置に設けられているので、各カードを図３に示すように所定の位置に重ね合わせると、Ａ１はＡ１同士、Ａ２はＡ２同士といった具合に、同じ属性に対応する孔又は切れ込み全てが同じ位置に重なるようになっていることはいうまでもない。
【００１８】
なお、以上の例では、そのカードに割り振られた属性に対応する孔だけをカード上辺に連通する切れ込みとし、その他の孔は孔のまま残しておいたが、この関係は逆でも良い。すなわち、カードに割り振られた属性に対応する孔だけをカード上辺とは連通しない孔のまま残し、その他の孔をカード上辺まで連通する切れ込みとしても良い。この場合には、ソードニードルを所定の切れ込みに差し込んで持ち上げると、目的とするカードだけが持ち上げられてくることになる。また、以上の例では、孔はカード上部に設け、切れ込みはカード上辺まで連通する切れ込みとしたが、孔を設ける位置はカード上部に限られず、側部であっても、下部であっても、場合によっては中央部であっても良い。
【００１９】
次に、再び図１に戻って、本発明のカード式の本を用いて、特定の１位及び／又は１０位の数字を持つ番号のカードだけを選択する場合について説明する。図１において、カード１の左側部には、０から９までの１位の数字Ｃに対応する孔Ｃ０〜Ｃ９、及び、００から６０まで１０刻みの１０位の数字Ｄに対応する孔Ｄ０〜Ｄ６が設けられている。図示の例において、カード１に割り振られた番号は、図１に符合５として示すように、「１１」であるので、１０位の数字Ｄに対応する孔Ｄ０〜Ｄ６のうち、「１０」に対応する孔Ｄ１だけが、カード側辺にまで連通する切れ込みとして形成されており、同様に、１位の数字Ｃに対応する孔Ｃ０〜Ｃ９のうち、「１」に対応する孔Ｃ１だけが、カード側辺にまで連通する切れ込みとして形成されている。
【００２０】
６４枚のカードの中から、「１１」番のカード１を選び出すには、まず、図３と同様に６４枚のカードを所定の位置に揃えて重ね合わせる。このとき、１位の数字に対応する孔Ｃ０〜Ｃ９、及び、１０位の数字に対応する孔Ｄ０〜Ｄ６の各カードにおける位置は同じであり、６４枚のカードを所定の位置に重ね合わせると、各孔もそれぞれ重なり合うようにようになっていることは言うまでもない。この状態で、今度は、ソートニードル４、４を、１０位の数字「１０」に対応する孔Ｄ１と、１位の数字「１」に対応する孔Ｃ１とに差し込んで、カードの左側辺を上にしてカード全体を持ち上げるか、ソートニードル４、４を利用してカード全体を左側方に移動させれば、目的とする「１１」番のカード１だけが、ソートニードル４、４とは係合せずに、下に落ちるか、その位置に止まり、選択されることになる。
【００２１】
他の番号のカードを選択するときも同様であり、それぞれのカードの番号に対応する１位及び１０位の孔にソートニードル４、４を差し込んで、カード全体を上下ないしは左右に移動させればよい。図１の例においては、カードは６４枚しか存在しないので、１０位の数字は、「６０」までとしてあるが、カードの枚数が多い場合には、その枚数に応じて、１０位の数字を増やしたり、更には、１００位、１０００位、それ以上の位の数字に対応する孔又は切れ込みを設けても良いことは勿論である。また、先に述べた「卦」の場合と同様に、カードに割り振られた数字に対応する孔だけをカード上辺とは連通しない孔のまま残し、その他の孔をカード上辺まで連通する切れ込みとしても良い。
【００２２】
１位の数字Ｃ及び１０位の数字Ｄに対応する孔Ｃ０〜Ｃ９及びＤ０〜Ｄ６を用いれば、上述したように特定の番号のカードを簡単に選び出すことができるだけでなく、例えば、番号が１０番台である「１０」〜「１９」のカードだけを選び出したり、１位の数字が「２」であるカードだけを選び出したりすることも容易に行うことができる。例えば、番号が１０番台であるカードだけを選び出すには、Ｄ１の孔にソートニードル４を差し込んで、カード全体を左右又は上下に移動させれば良いし、１位の数字が「２」であるカードだけを選び出すには、Ｃ２の孔にソートニードル４を差し込んで、カード全体を同様に移動させればよい。このように、本発明のカード式の本によれば、いつでも手軽にどこにでも携行できることに加えて、特定の番号のカードだけを選び出したり、１位又は１０位の数字が特定のカードだけを選び出すことが簡単に行えるので、例えば、多数枚存在するカードを、１０位の数字によって選別することにより、カードの枚数が多い場合でも、容易にカードを番号順に並べることが可能となる。
【００２３】
以上、本発明のカード式の本を易の卦を例に説明したが、本発明のカード式の本が対象とする属性は易の卦に限られない。また、上記の例では、各カードに割り振られた属性は「外卦」と「内卦」の２種類であったが、各カードに割り振られる属性は２種類に限られず、１種類であっても良いし、３種類以上であっても良い。
【００２４】
【発明の効果】
以上のように、本発明のカード式の本によれば、複数枚のカードが着脱自在に綴じ込まれた本の形態にあるので、手軽にどこにでも携行でき、初心者でも、いつでも好きな時に好きな場所で、難しい卦の名称に煩わされることなく、目的とする卦を容易かつ迅速に探し出すことができ、占いに便利であると共に、易の習得にも非常に有用である。また、本発明のカード式の本を易の卦以外の適宜の情報に適用すれば、いつでもどこにでも携行できて、複数の属性を同時に満たす対象物を検索する、いわゆる相関検索を容易かつ素早く行うことができ、目的とする情報を取り出すことができる携行式のデータベースとして、更には、植物や動物などの図鑑、カタログなどとしても利用することができるものである。
【図面の簡単な説明】
【図１】本発明のカード式の本を構成する１枚のカードの一例を示す図である。
【図２】本発明のカード式の本の一例を示す図である。
【図３】複数枚のカードを揃えた状態を示す図である。
【図４】特定のカードを選択する操作の説明図である。
【符号の説明】
１                カード
２                属性
３                肩部
４                ソートニードル
５                カード番号
６                パンチ孔
７                バインダー
８ａ、８ｂ        中央突片
９ａ              通し棒
９ｂ              受け片
１０              空隙
Ａ                外卦
Ｂ                内卦
Ｃ                １位の数字
Ｄ                １０位の数字
【図１】
2004255773.tif 000003
【図２】
2004255773.tif 000004
【図３】
2004255773.tif 000005
【図４】
2004255773.tif 000006